(57)【要約】【課題】  利用者の別に関係なく、操作性の向上等を図ることを可能とする画像出力装置等を提供する。【解決手段】  画像出力装置は、利用者の操作状況から利用者の種別（利き手、経験度癖等）を判定し、あるいは、利用者自身による種別の指定、選択に応じて、当該種別に対応して画面表示を行う。また、画像出力装置は、番号表示、メディア外観画像表示、挿入口毎の扉の開閉等を行う。また、画像出力装置は、あとどれだけ注文をすれば、どのようなサービスが適用されるか等を画面表示する。また、画像出力装置は、１の画面上に詳細画像及び一覧画像を関連付けて表示する。また、画像出力装置において、筐体のメディア挿入部分、メディア挿入部分の開閉扉等を静電気防止効果を有する材料により構成し、入力メディア内のデータの消去、破損を防止する。【選択図】  図２
2008293513.tif 000002
【特許請求の範囲】
【請求項１】
画像データを入力する入力手段と、
当該画像データを印刷出力する出力手段と、
同一画面上に前記画像データの一覧画像表示及び詳細画像表示を行うと共に、前記一覧画像表示のうち前記詳細画像表示に対応する部分を強調表示する表示手段と、
を具備することを特徴とする画像出力装置。
【請求項２】
前記表示手段は、前記一覧画像表示における連続する複数の画像について前記詳細画像表示を行うと共に、前記詳細画像表示に対応する複数の画像を強調表示することを特徴とする請求項１に記載の画像出力装置。
【発明の詳細な説明】
【技術分野】
【０００１】
本発明は、デジタルカメラで撮影した画像、スキャナで読込んだ画像、持参した記録メディアに記録されている画像データ、装置に予め保存してある画像等をプリントする画像出力装置に関する。
【背景技術】
【０００２】
従来、店舗内や街頭に設置することが可能であり、デジタルカメラ等で撮像した画像、記録媒体に記録されている画像データ等を読込んで、画像の編集、合成、出力等を行う、画像出力装置がある（例えば、［特許文献１］、［非特許文献１］参照。）。
また、[特許文献２]（段落番号００２９、段落番号００７７）には、ＣＲＴ表示画面上のタッチパネルを介して、画像データの入力、出力等の操作を行うことができる画像出力装置が記載されている。
【０００３】
これらの画像出力装置は、利用者が自由に操作して所望の写真画像を即時プリントアウトし、持ち帰ることができる手軽さを提供する。
例えば、利用者は、デジタルカメラで撮影した画像データを持参して画像出力装置に記録データを読み取らせ、必要に応じて出力装置に備えられている簡単な編集操作を行った上で、出力サイズ、出力枚数を指定して、高精細なカラープリントを出力することができる。
【０００４】
利用者は、タッチパネル等を介してＣＲＴ画面上にメニュー表示される操作項目（選択ボタン等）の中から選択あるいは入力を行うことにより、画像出力装置を操作する。
【０００５】
【特許文献１】特開２００２−４６３２４号公報
【特許文献２】特開平１０−３４１３０３号公報
【非特許文献１】大日本印刷株式会社、"デジカメプリントのすすめ"、［ｏｎｌｉｎｅ］、［２００２年１２月１日検索］、インターネット＜ＵＲＬ：ｈｔｔｐ：／／ｗｗｗ．ｄｉｇｉｃａｍａｔｅｓ．ｃｏｍ／ｓｕｓｕｍｅ／ｉｎｄｅｘ．ｈｔｍｌ＞
【発明の開示】
【発明が解決しようとする課題】
【０００６】
しかしながら、[特許文献２]の技術では、タッチパネルによりＣＲＴ画面上に表示される操作項目の選択あるいは入力が可能であっても、同じ操作項目を選択した場合、利用者の別に関わらず、同様の操作画面を表示する。
【０００７】
すなわち、従来の画像出力装置は、操作内容に応じて画面表示を行うだけであり、利用者の性状、癖、利き手等を考慮した上で画面表示を行わないので、同様の画面表示であっても、利用者によっては操作し辛いものとなるという問題点がある。
【０００８】
また、従来の画像出力装置では、デジタルカメラ、記録媒体等についての知識が乏しい場合、画面表示される案内だけでは、戸惑い、操作ミスの発生を防止することが困難であるという問題点がある。
また、従来の画像出力装置では、目的の画像を選択したり辿り着くまでに相当の手間がかかり、労力的負担、時間的負担等が生じるという問題点がある。
【０００９】
また、従来の画像出力装置では、動作の過程において、静電気等の影響により、記録媒体に記録されている画像データが消去、破損されるという不測の事態が生じる危険性があるという問題点がある。
【００１０】
本発明は、以上の問題点に鑑みてなされたものであり、利用者の別に関係なく、操作性の向上等を図ることを可能とする画像出力装置等を提供することを目的とする。
【課題を解決するための手段】
【００１１】
前述した目的を達成するために本発明は、画像データを入力する入力手段と、当該画像データを印刷出力する出力手段と、同一画面上に前記画像データの一覧画像表示及び詳細画像表示を行うと共に、前記一覧画像表示のうち前記詳細画像表示に対応する部分を強調表示する表示手段と、を具備することを特徴とする画像出力装置である。
【００１２】
本発明の画像出力装置は、同一画面上に画像データの一覧画像表示及び詳細画像表示を行うと共に、一覧画像表示のうち詳細画像表示に対応する部分を強調表示する。
【００１３】
本発明では、画像出力装置は、１の画面上に詳細画像及び一覧画像を対応付けて表示するので、利用者は、目的の画像に迅速に到達することができる。
【００１４】
また、本発明の表示手段は、前記一覧画像表示における連続する複数の画像について前記詳細画像表示を行うと共に、前記詳細画像表示に対応する複数の画像を強調表示するようにしても良い。
【発明の効果】
【００１５】
本発明によれば、利用者の別に関係なく、操作性の向上等を図ることを可能とする画像出力装置等を提供することができる。
【発明を実施するための最良の形態】
【００１６】
以下、添付図面を参照しながら、本発明に係る画像出力装置等の好適な実施形態について詳細に説明する。なお、以下の説明及び添付図面において、略同一の機能構成を有する構成要素については、同一の符号を付することにより重複説明を省略することにする。
【００１７】
最初に、図１を参照しながら、本発明の実施の形態に係る画像プリントシステム１００の構成について説明する。
図１は、画像プリントシステム１００の構成を示すブロック図である。
【００１８】
画像プリントシステム１００は、画像出力装置１０１等により実現される。
画像出力装置１０１は、画像データ読込書込手段１１１、画像編集合成手段１１２、素材データベース（素材ＤＢ）１１３、プリント手段１１４、注文内容入力手段１１５、課金手段１１６等を備える。
【００１９】
画像データ読込書込手段１１１は、被写体１２１をデジタルカメラ等の撮像装置により撮像したり、原稿１２２をスキャナ装置等の原稿読取装置により読み取ったり、予め画像データが記録された記録媒体１２３から読み取ることにより、画像データを取得する。また、画像データ読込書込手段１１１は、画像出力装置１０１が作成した画像データを記録媒体１２３に記録することもできる。
記録媒体１２３は、例えば、スマートメディア、コンパクトフラッシュ（登録商標）カード（ＣＦカード）、フロッピー（登録商標）ディスク、ＰＣカード、ＣＤ−ＲＯＭ等である。
【００２０】
画像編集合成手段１１２は、１つ以上の入力または選択した画像データに対して、落書き、スタンプのような加工、画像データの切抜き、変倍、切抜いた画像の他の画像への貼付け等、合成編集等を対話的に行う対話型インターフェース手段と画像処理プログラムで構成される。加工や合成編集に扱う画像データとしては、素材データベース１１３に存在する素材画像データ、フレーム画像データ等を用いることもできる。
【００２１】
プリント手段１１４は、高解像度カラープリンタである。昇華型あるいはインキジェット型などの方式は問わない。
【００２２】
注文内容入力手段１１５により利用者は、出力すべき注文内容を必要に応じて選択する。選択する項目としては、プリントモードの選択（実画像データの通常の出力を行うのか、インデックスプリント出力を行うのか、はがきプリントを行うのか、シールプリントを行うのか、証明写真プリントを行うのか、等の指定）、さらに実画像データの通常の出力等の場合には、複数コマ分の画像データを入力した場合のどの画像をプリントするかの指定（デジタルカメラ画像を出力する場合のインデックス画像のモニタ表示とインデックスからの選択指定）、プリント枚数やプリントサイズの指定などがある。尚、利用者は、画像を出力する前に、１つ以上の画像データを指定して加工および合成編集することができる。
【００２３】
注文内容入力手段１１５としては、例えば、ＣＲＴや液晶パネル等の表示手段と一体化されたタッチパネルや、キーボード、マウスやトラックボールのような各種ポインタを用いることができる。
課金手段１１６は予め投入された金額に応じて、画像出力装置１０１の各機能を有効とする。
【００２４】
次に、図２を参照しながら、画像出力装置１０１の外観構成について説明する。
図２は、画像出力装置１０１の外観斜視図である。
【００２５】
画像出力装置１０１の上段部正面には、タッチパネル付きモニタ等であるモニタ画面２０１が配置されている。モニタ画面２０１は、操作の案内や、操作の状況や、読み取った画像或いは編集加工した画像等を表示する表示手段としての機能を発揮する。
【００２６】
モニタ画面２０１の画面の横には、メディア挿入口２０２が設置される。上段部と下段部を分けている水平部には、プリント物の画像を読み取ってデジタルデータ化するスキャナ面２０３が設置される。また、モニタ画面２０１の画面の上には、デジタルカメラ等の撮像装置により被写体を撮像するためのレンズ窓２０４が設置される。これらのメディア挿入口２０２、スキャナ面２０３、レンズ窓２０４は、画像データ読込書込手段１１１の一部を構成する。
【００２７】
メディア挿入口２０２は、各種メディア（スマートメディア、コンパクトフラッシュ（登録商標）カード（ＣＦカード）、フロッピー（登録商標）ディスク、ＰＣカード、ＣＤ−ＲＯＭ等）の挿入口であり、フロッピー（登録商標）ディスク挿入口、ＣＤ−ＲＯＭ挿入口、ＰＣカード挿入口、スマートメディア挿入口、コンパクトフラッシュ（登録商標）挿入口等がひとまとめの位置に配置されている。
【００２８】
また、画像出力装置１０１の筐体内には上記各記録メディアの挿入口に対応して、それぞれの読取書込装置の本体が設置されている。各挿入口には、シャッタ（図示しない）を備えても良い。この場合、シャッタの開閉を制御することにより、処理中に記録メディアを取り出せないようにしたり、手数料の徴収が完了するまで記録メディアを取り出せないようにすることができる。
【００２９】
画像出力装置１０１の下段部には、料金投入口（硬貨投入口２０５、紙幣挿入口２０６）、返却レバー２０７、返却口２０８、レシート取出口２０９、プリント物取出口２１０、スピーカ２１１、メインテナンスキー２１２、ドア開閉キー２１３等がそれぞれ配置されている。
【００３０】
料金投入口（硬貨投入口２０５、紙幣挿入口２０６）、返却レバー２０７、返却口２０８、レシート取出口２０９は、課金手段１１６の一部を構成する。
顧客は、硬貨投入口２０５に硬貨を投入したり、紙幣挿入口２０６に紙紙幣を挿入することにより料金を支払う。釣銭がある場合には返却口２０８から放出されるので、それを受け取れる。また、硬貨が詰まった時には硬貨返却レバー２０７を回すことにより返却口２０８から放出されるので、それを受け取れる。
料金を徴収した後、レシート取出口２０９から徴収した金額や注文内容が印刷されたレシートが放出される。
【００３１】
プリント物取出口２１０は、プリント手段１１４の一部を構成する。利用者は、タッチパネルボタンに触れるなどしてプリント実行を指示した後、プリント物取出口２１０から放出されるプリント物を受け取る。
スピーカ２１１は、待機中や操作中に音声、ＢＧＭ、効果音などを再生する。
【００３２】
メンテナンスキー２１２は、ユーザーを受け付けることのできる通常の運転モードと、管理者が画像プリントシステムの設定やメンテナンスを行う管理モードを切り替えるキーである。
【００３３】
また、外観からは明確に認識できないが、ポスト型画像出力装置１０１の筐体内には、ポスト型画像出力装置１０１の各構成部分を制御するための制御部を含むパソコンや、電圧の変換を行う電源ボックス、停電時に制御部のＣＰＵやハードディスク等の破損を防ぐ無停電電源装置等が設置される。
【００３４】
次に、図３を参照しながら、画像出力装置１０１の概略構成について説明する。
図３は、画像出力装置１０１のハードウェア構成図である。
【００３５】
画像出力装置１０１は、制御部３０１、ハードディスク３０２、入出力部３０３（ＣＤ−ＲＯＭドライブ装置、キーボード、マウス等）、デジタルカメラ３０５、スキャナ３０６、各種メディア読取書込部３０７（１〜ｎ）、シャッタ３０８（１〜ｎ）、モニタ３０９（タッチパネル付き）、コインメック３１０、ビルバリ３１１、レシートジャーナル処理部３１２、プリンタ３１３等が、バス３１４を介して接続される。
【００３６】
制御部３０１は、ＣＰＵ、ＲＯＭ、ＲＡＭ等で構成され、大容量記憶媒体としてのハードディスク３０２に格納されたプログラムに従って、バス３１４を介して接続された各装置を駆動制御する。
【００３７】
ハードディスク３０２には、各構成部分を駆動制御するプログラム、例えば各記録メディアに対応する読取書込プログラム、シャッタの開閉制御プログラム、課金プログラム等の他に、画像編集合成手段１１２の一部として入力または選択された画像を編集加工するための画像処理プログラム、間引きデータを作ってインデックスデータを作成する画像処理プログラム、注文内容入力手段１１５の一部として対話型メニューをモニタ３０９に表示し、プリント手段１１４に対してプリント条件を設定して、プリント開始を指示するプログラム、および、画像の合成に用いるフレーム、背景画像、ぬりえ用の線画イラスト画像等の画像データを記憶した素材データベース１１３が格納されている。
【００３８】
これらの各プログラムコードは、制御部３０１により必要に応じて読み出されてＲＡＭに移され、ＣＰＵに読み出されて各種の手段として実行される。
【００３９】
入出力部３０３（ＣＤ−ＲＯＭドライブ装置、キーボード、マウス等）は、制御部３０１のＲＯＭやハードディスク３０２に記憶されているプログラムや情報をバージョンアップ、あるいは、画像プリントシステムの動作設定、機器設定等の設定を行う際に用いられ、メンテナンスキーにより本体部を管理モードに切り替えて、入出力部３０３にバージョンアップ用のＣＤ−ＲＯＭを挿入し、データの書き換えを行ったり、設定データを入力して設定を行う。
【００４０】
デジタルカメラ３０５、スキャナ３０６、各種メディア読取書込部３０７（１〜ｎ）は、画像データ読込書込手段１１１に相当する。
シャッタ３０８は、記録メディア挿入口に設けられ、当該記録メディア挿入口を開閉し、読取処理の最中に記録メディアを取り出せないようにしたり、課金処理が完了するまで記録メディアを取り出せないようにすることができる。
【００４１】
モニタ３０９に表示された操作案内に従って、同モニタ３０９に表示されたタッチパネルボタンを選択し触れることにより、プリントモードの選択およびオリジナル画像データの読み込みから、加工、合成編集、プリント物の出力までの一連の操作を行うことができる。
【００４２】
コインメック３１０、ビルバリ３１１、レシートジャーナル処理部３１２は、課金手段１１６に相当し、硬貨投入、紙幣挿入を受け付けたり、レシートの発行を行う。
プリンタ３１３は、プリント手段１１４に相当し、画像の印刷出力処理を行う。
【００４３】
次に、図４を参照しながら、画像出力装置１０１の動作について説明する。
図４は、画像出力装置１０１の動作を示すフローチャートである。
【００４４】
画像出力装置１０１は、サービスの内容、手順、案内等を示すメニュー画面を表示し、利用者に選択させる。（ステップ４０１）。
画像出力装置１０１は、画像データを取得する（ステップ４０２）。利用者は、画像データの入力に際し、記録メディアからの読み取り、スキャナからの読み取り、撮像装置（デジタルカメラ等）による被写体の撮像等の方法を選択することができる。
【００４５】
画像出力装置１０１は、利用者の指示に基づいて、画像の加工、編集、合成等を行う（ステップ４０３）。画像の加工、編集、合成は、例えば、入力画像データ同士、フレーム画像、既存画像等の合成、塗色、文字入力、移動、拡大・縮小、はがきデータ作成等である。
【００４６】
画像出力装置１０１は、利用者の注文内容（出力形態（写真プリント、シールプリント、インデックスプリント、はがきプリント等）、プリント枚数等）に応じて、課金処理、レシート発行処理を行う（ステップ４０４）。
【００４７】
画像出力装置１０１は、色修正、リサイズ、トリミング、レイアウト、文字・ロゴ合成等の画像処理を行い（ステップ４０５）、画像処理した画像データをハードディスク装置等に保持し（ステップ４０６）、出力可能状態となったプリンタ装置に当該画像データを転送し、印刷出力処理を行う（ステップ４０７）。
画像プリントシステム１００の稼働を続ける場合（ステップ４０８のＮＯ）、画像出力装置１０１は、ステップ４０１〜ステップ４０８までの処理を繰り返す。
【００４８】
次に、図５〜図７を参照しながら、入力メディアの選択における、画像出力装置１０１の動作を説明する。
画像出力装置１０１は、備え付けのデジタルカメラによる撮影、備え付けのスキャナによる画像読取、各種記録媒体等の各種入力メディアから画像データを取得する（図４：ステップ４０２）。
【００４９】
この際、利用者は、画像データを画像出力装置１０１に読み取らせる場合、画像データを記録した各種記録媒体（各種メディア等）を対応する挿入口に挿入したり、原稿をスキャナ装置に装着したりする。
【００５０】
以下、入力メディアとして各種記録媒体を取り上げて、入力メディアの選択における画像出力装置１０１の動作について説明する。
【００５１】
図５は、入力メディアの選択における、画像出力装置１０１の動作を示すフローチャートである。
図６は、入力メディア選択時における画像出力装置１０１を示す図である。
図７は、入力メディア確認時における画像出力装置１０１を示す図である。
【００５２】
図６に示すように、画像出力装置１０１は、モニタ画面２０１に入力メディア選択画面６００を表示する（ステップ５０１）。
入力メディア選択画面６００には、各種入力メディアに対応するボタンである項目６０１が表示される。各項目６０１には、入力メディアの外観等の画像６０２（実物大画像、拡大画像、縮小画像）、挿入口の番号６０３（１〜８）等が表示される。利用者は、タッチパネルを介して項目６０１を選択することにより、入力メディアの選択を行う。
【００５３】
画像出力装置１０１は、入力メディアが選択されると、選択された項目を強調して表示する（ステップ５０２）。
強調表示は、種々の態様を取り得るが、画像出力装置１０１は、例えば、選択された項目の輝度を高くしたり、選択された項目のみを表示するようにしてもよい。
【００５４】
尚、利用者は、項目６０１に表示されるメディアの外観画像６０２と持参の記録媒体等とを比較して、選択すべき項目を判断したり、選択した項目を確認することができる。
また、項目と共に表示される入力メディアの外観画像については、画像出力装置１０１は、利用者の要求により、随時、実物大画像、拡大画像、縮小画像等を挿入口の番号と共に表示するようにしてもよい（ステップ５０５）。
【００５５】
図７に示すように、画像出力装置１０１は、選択された項目に対応する挿入口７０２近傍の番号灯７０１を点灯、点滅等させる（ステップ５０３）。
また、図６及び図７に示すように、メディア挿入口２０２において、各入力メディア毎に開閉可能な開閉扉６０４が設けられている場合、画像出力装置１０１は、選択された入力メディアの挿入口の扉を開いた上で（ステップ５０４）、番号灯７０１を点灯、点滅等させる。
【００５６】
尚、画像出力装置１０１は、表示画面に挿入口の番号を表示し、利用者はこの番号表示に基づいてメディアの挿入等を行う。従って、挿入口近傍に番号表記が設けられていれば、上記ステップ５０３、ステップ５０４の処理において必ずしも番号灯を点灯等させる必要はない。
また、開閉扉６０４は、画像出力装置１０１側で自動的に開閉制御され手動では開閉不可能なものとすることが望ましい。
【００５７】
以上の過程を経て、画像出力装置１０１は、メディア選択画面表示、メディア装着ガイダンス表示、メディア確認画面等を表示し、音声案内、動画案内等と共に、利用者にメディアの選択、メディアの装着を促す。
【００５８】
上記のように、画像出力装置１０１は、メディア毎に、挿入口に付される番号、メディアの外観画像等を対応付けて表示するので、メディアの知識がない利用者であっても、実物大イメージと形状等を比較することにより、挿入口の番号を確認することができる。
【００５９】
また、メディアが選択、指定されると、当該メディアの挿入口の番号を表示したり、挿入口の番号灯を点灯させたり、当該メディアの挿入口のみを使用可能とする（例えば、当該メディアの挿入口の扉のみを開ける）ので、画像出力装置１０１は、利用者を目的のメディアの挿入口へ正確に誘導することができる。従って、利用者の誤操作を防止すると共に、操作性を向上することができる。
また、当該メディア部のみ使用可能となるのでメディア部への防塵、防埃、いたずら防止ができ、図２等に示す画像出力装置の耐障害性及び保守性を向上できる。
【００６０】
尚、図７に示すように、画像出力装置１０１は、番号灯７０１を点灯、点滅させたり、開閉扉６０４を開く際、入力メディア確認画面７００を表示するようにしてもよい。この場合、画像出力装置１０１は、選択された入力メディアについて、挿入口の番号、入力メディアの外観等の画像（実物大画像、拡大画像、縮小画像等）を表示し、利用者は、再度、入力メディアの確認を行うことができる。
【００６１】
また、画面上に表示する画像は、静止画、動画を問わない。
また、画像出力装置１０１は、画面表示によるガイダンスの他、音声によるガイダンスを行うようにしてもよい。
【００６２】
また、上記の技術は、画像出力装置以外にも適用可能であり、例えば、複数種類のメディアのデータの読込が可能であり、表示画面を有する装置、機器等であれば、画像データの出力機能を具備せずとも、上記の技術を適用可能である。
【００６３】
次に、図８〜図１１を参照しながら、利用者の種別の判定における、画像出力装置１０１の動作を説明する。
画像出力装置１０１は、利用者の注文内容だけでなく、利用者の種別に対応させて、画面表示、操作案内、音声ガイダンス、動画ガイダンス等を行う。
利用者の種別は、利用者の種々の区分であり、例えば、利き手（右利き、左利き）、使用言語、経験度（初心者、熟練者）、表示文字の大きさの好み、年齢（子供、お年寄り、一般）等の区分である。
【００６４】
以下、利用者の種別として利き手を取り上げて、利用者の種別の判定における画像出力装置１０１の動作について説明する。
【００６５】
図８は、利用者の利き手判定における、画像出力装置１０１の動作を示すフローチャートである。
図９は、利用者の利き手判定において、画像出力装置１０１が表示する画面９００を示す図である。
図１０は、右利きの利用者に対して表示する画面１０００を示す図である。
図１１は、左利きの利用者に対して表示する画面１１００を示す図である。
【００６６】
画像出力装置１０１は、画面の左右両側に同一内容の項目を表示する（ステップ８０１）。
図９に示すように、画像出力装置１０１は、画面９００の右側に項目９０１（「次に進む」）、画面９００の左側に項目９０２（「次に進む」）を表示する。すなわち、項目９０１と項目９０２は、同一内容の項目である。
【００６７】
利用者が右側の項目を選択した場合（ステップ８０２の右）、画像出力装置１０１は、利用者を右利きと判定し、タッチパネル画面の右側に高使用頻度の項目（メインの操作ボタン等）を配置する（ステップ８０３）。
図１０に示すように、画像出力装置１０１は、右利きと判定した利用者に対しては、画面１０００の右側に高使用頻度の項目群１００１をレイアウトする。
【００６８】
利用者が左側の項目を選択した場合（ステップ８０２の左）、画像出力装置１０１は、利用者を左利きと判定し、タッチパネル画面の左側に高使用頻度の項目（メインの操作ボタン等）を配置する（ステップ８０４）。
図１１に示すように、画像出力装置１０１は、左利きと判定した利用者に対しては、画面１１００の左側に高使用頻度の項目群１１０１をレイアウトする。
【００６９】
以上の過程を経て、画像出力装置１０１は、同一内容の項目を同一画面の左右両側に表示し、どちら側の項目を使用するかにより利用者の利き手を判定し、タッチパネル画面の利き手側に高使用頻度の項目（メインの操作ボタン等）を配置する。
【００７０】
尚、画像出力装置１０１は、利き手の判定について、利用者の１回の操作（項目選択）により判定してもよいし、利用者の複数の操作（項目選択）により判定してもよい。
【００７１】
また、画像出力装置１０１は、利き手の場合ように画面の左右方向についてだけでなく、任意の位置（例えば、画面の上下方向）に関して、利用者が操作し易い画面位置を判定し、当該画面位置に高使用頻度の項目（メインの操作ボタン等）を配置するようにすることもできる。
【００７２】
画像出力装置１０１は、画面の上下方向について利用者が操作し易い画面位置を判定することにより、身長差等が異なる利用者（大人、子供等）であっても、各利用者に対して操作し易い操作画面等を表示することができる。
【００７３】
また、利用者の種別の判定は、利用者の利き手の判定、操作し易い画面位置の判定に限られない。例えば、画像出力装置１０１は、利用者の経験度（初心者、熟練者等）を判定することもできる。この場合、画像出力装置１０１は、利用者の各操作に要する時間（各操作間の所要時間等）を計測し、所定の基準以上の時間を要した場合、当該利用者を初心者と判定して初心者用の案内画面を表示する。
【００７４】
このように、画像出力装置１０１は、利用者の操作状況から利用者の種別を判定し、当該種別に対応して画面表示を行うことができるので、個々の利用者の操作性を向上させることができる。
【００７５】
尚、画像出力装置は、予め利用者の種別毎に画面表示データをハードディスク３０２等に保持し、画面表示の際に当該画面表示データを抽出、選択するようにしてもよいし、画面表示の際に利用者の種別に適する画面表示データを作成するようにしてもよい。
【００７６】
また、上記の技術は、画像出力装置以外にも適用可能であり、例えば、タッチパネル操作により操作可能な装置、機器等であれば、画像データの入出力機能を具備せずとも、上記の技術を適用可能である。さらに、画面表示だけでなく、音声案内についても、利用者の種別に適したものとすることができる。
【００７７】
次に、図１２及び図１３を参照しながら、利用者自身が利用者の種別を指定する場合における、画像出力装置１０１の動作について説明する。
画像出力装置１０１は、図８〜図１１について説明したように、利用者の操作状況から利用者の種別を判定するだけでなく、利用者自身に種別を指定させるようにしてもよい。
【００７８】
図１２は、画像出力装置１０１が表示する、利用者の種別を指定可能な画面１２００を示す図である。
図１３は、画像出力装置１０１が表示する、初心者用の画面１３００を示す図である。
【００７９】
図１２に示すように、画像出力装置１０１は、画面１２００に利用者の種別に対応する項目を表示する。利用者の種別に対応する項目は、項目１２０１（「左利きの方へ」）、項目１２０２（「初心者の方へ」）、項目１２０３（「文字を大きくする」）、項目１２０４（「日本語」）、項目１２０５（「Ｅｎｇｌｉｓｈ」）等である。
【００８０】
利用者は、これらの項目を選択、指定することにより、画像出力装置１０１に対して利用者の種別を自ら指定することができる。
例えば、利用者が項目１２０２（「初心者の方へ」）を選択、指定した場合、図１３に示すように、画像出力装置１０１は、初心者用の画面１３００を表示する。この初心者用の画面１３００には、初心者向けの操作ガイド等の記述である説明１３０１等が表示される。
一方、利用者が項目１２０２（「初心者の方へ」）を指定しない場合、画像出力装置１０１は、説明１３０１を表示しない。
【００８１】
以上の過程を経て、画像出力装置１０１は、利用者が指定した利用者の種別に従って、操作案内等に関する画面表示を行う。
このように、画像出力装置１０１は、利用者が指定した利用者の種別に対応して画面表示を行うことができるので、個々の利用者の操作性を向上させることができる。
【００８２】
尚、使用言語については、日本語、英語の他、中国語、スペイン語、ハングル等、多国語対応とすることができる。この場合、画像出力装置１０１の海外展開をスムーズに行うことができる。
【００８３】
また、利用経験が豊富な利用者は、操作回数が少ない方が操作しやすいと感じられ、利用経験の乏しい利用者は、操作回数が多くとも分かりやすい方が操作しやすいと感じる。従って、画像出力装置１０１は、利用者が経験者である場合、操作回数が少なくなるべく画面表示を行い、利用者が初心者である場合、操作回数が多くとも分かりやすい画面表示を行うようにしてもよい。
【００８４】
また、利用者が子供、お年寄り等である場合等、文字を大きくする場合、画像出力装置１０１は、画面に同時表示できる情報を多少犠牲にしても、文字、画像を大きく表示するようにしてもよい。
【００８５】
また、上記の技術は、画像出力装置以外にも適用可能であり、例えば、表示画面を有する装置、機器等であれば、画像データの入出力機能を具備せずとも、上記の技術を適用可能である。さらに、画面表示だけでなく、音声案内についても、利用者の指定、利用者の種別に適したものとすることができる。
【００８６】
次に、図１４〜図１７を参照しながら、サービス案内における、画像出力装置１０１の動作を説明する。
【００８７】
以下、サービスとして注文プリント枚数に応じて単価が割り引きとなる場合を取り上げて、サービス案内における画像出力装置１０１の動作について説明する。
【００８８】
図１４は、サービス案内における画像出力装置１０１の動作を示すフローチャートである。
図１５は、サービス情報１５００を示す図である。
図１６は、サービス案内における画像出力装置１０１が表示する画面１６００を示す図である。
図１７は、サービス案内表示を示す図である。
【００８９】
サービス情報１５００は、サービス内容を示す情報である。画像出力装置１０１は、サービス情報１５００をハードディスク３０２等に保持し、必要に応じて検索、参照する。
図１５に示すサービス情報１５００は、サービス区分１５０１、プリントモード１５０２、プリント時間１５０３、サービス内容１５０４等のフィールドを有する。
【００９０】
サービス区分１５０１は、サービス内容を識別するための文字、数字、記号等からなる符号列であり、例えば、「０１」、「０２」等である。
プリントモード１５０２は、プリント（印刷）の種別であり、例えば、「デジカメプリントＬサイズ」、「インデックスプリント」、「はがきプリント」、「シールプリント」、「証明写真プリント」等である。
【００９１】
プリント時間１５０３は、印刷所要時間であり、例えば、「５秒／枚」、「７秒／枚」である。
サービス内容１５０４は、具体的なサービスの内容であり、例えば、「プリント枚数１〜９枚の場合、単価５０円」、「プリント枚数１０枚以上の場合、単価４０円」等である。
【００９２】
画像出力装置１０１は、注文内容（プリントモード、プリント枚数等）に応じて、料金を計算して画面表示する（ステップ１４０１）。
画像出力装置１０１は、サービス情報１５００を参照して、次のサービス区分が適用になるまでの残枚数を算出し、当該サービス区分が適用される場合の料金を計算して画面表示する（ステップ１４０２）。
【００９３】
図１６に示すように、画像出力装置１０１は、注文内容に応じて、画面１６００にサービス案内１６０１を表示する。サービス案内１６０１には、注文済の内容、適用されるサービス内容、予定プリント所要時間等が示されると共に、あとどれくらい注文すれば、どのようなサービスが適用されるか等についても併せて示される。
【００９４】
例えば、図１６に示すサービス案内１６０１は、「あと９枚でプリントで１枚４０円となります。／プリント枚数１枚・料金５０円・プリント時間約１０秒」であり、図１７に示すサービス案内１７０１は、「１０枚以上のためプリント１枚４０円となっております。／プリント枚数２４枚・料金９６０円・プリント時間約１分００秒」である。
【００９５】
また、例えば、サービス内容が１枚〜９枚の場合５０円／枚であり、１０枚以上の場合４０円／枚である場合、画像出力装置１０１は、２枚注文している時点において、サービス案内「２枚×５０円＝１００円  あと８枚ご注文で１枚４０円となります。」を画面表示し、８枚注文している時点において、サービス案内「８枚×５０円＝４００円  あと２枚ご注文で１０枚×４０円＝４００円でよりお得です。現在の料金であと２枚注文することができます。」を画面表示する。
【００９６】
以上の過程を経て、画像出力装置１０１は、サービス情報を参照して、次のサービス区分が適用になるまでの残枚数を算出し、当該サービス区分が適用される場合の料金を計算して画面表示する。
【００９７】
このように、画像出力装置１０１は、注文済の内容に適用されるサービスだけでなく、あとどれだけ注文をすれば、どのようなサービスが適用されるか等を画面表示するので、料金決済前の利用者に対して、さらなる注文を促すことができる。
また、画像出力装置１０１は、利用者にとってメリットとなる情報を表示するので、利用者に対するサービス向上を図ることができる。
【００９８】
また、上記の技術は、画像出力装置以外にも適用可能であり、例えば、表示画面を有する装置、機器等であれば、画像データの入出力機能を具備せずとも、上記の技術を適用可能である。さらに、画面表示による案内に代えてあるいは加えて音声による案内も可能である。
【００９９】
次に、図１８〜図２０を参照しながら、詳細画面表示における、画像出力装置１０１の動作を説明する。
図１８は、一覧画面表示及び詳細画面表示における画像出力装置１０１の動作を示すフローチャートである。
図１９は、画像出力装置１０１が表示する一覧画面１９００を示す図である。
図２０は、画像出力装置１０１が表示する詳細画面２０００を示す図である。
【０１００】
画像出力装置１０１は、利用者から一覧画面表示を指示された場合（ステップ１８０１の一覧画面）、あるいは、メディア等からの画像データ読込時、一覧画面（画像一覧）を表示する（ステップ１８０２）。
【０１０１】
図１９に示すように、画像出力装置１０１は、一覧画面１９００上に縮小画像、サムネイル等の一覧画像１９０３等からなる画像一覧１９０２を表示する。
尚、項目１９０１（「詳細画面へ切替」）が押され、指定された場合、画像出力装置１０１は、一覧画面１９００に替えて詳細画面２０００を表示する。
【０１０２】
画像出力装置１０１は、利用者から詳細画面表示を指示された場合（ステップ１８０１の詳細画面）、詳細画面を表示し（ステップ１８０３）、当該詳細画面上に詳細画像と共に画像一覧を表示し、当該画像一覧のうち表示している詳細画像に対応する部分を強調表示する（ステップ１８０４）。
【０１０３】
図２０に示すように、画像出力装置１０１は、詳細画面２０００上に詳細画像２００５及び縮小画像、サムネイル等の一覧画像２００３等からなる画像一覧２００２を表示し、画像一覧２００２のうち画面上に表示している詳細画像２００５に対応する部分（一覧画像の枠等）を強調表示２００４とする。
【０１０４】
また、画像出力装置１０１は、詳細画面２０００において、画像一覧２００２上の一覧画像２００３が押され、指定された場合、当該一覧画像２００３に対応する詳細画像を表示する。
尚、項目２００１（「一覧画面へ切替」）が押され、指定された場合、画像出力装置１０１は、詳細画面２０００に替えて一覧画面１９００を表示する。
【０１０５】
以上の過程を経て、画像出力装置１０１は、詳細画面上に詳細画像及び画像一覧を表示し、画像一覧のうち詳細画像に対応する部分（一覧画像の枠等）を強調表示する。
また、詳細画像、画像一覧の一覧画像、画像一覧における強調表示は、連係、対応付けられており、画像出力装置１０１は、表示される詳細画像に対応させて、画像一覧を表示し、画像一覧のうち詳細画像に対応する部分（一覧画像の枠等）を強調表示する。
【０１０６】
このように、画像出力装置１０１は、詳細画面上に詳細画像及び画像一覧を表示し、画像一覧のうち詳細画像に対応する部分を強調表示するので、利用者は、１の画面（詳細画面）上で、詳細画像を確認すると共に当該詳細画像がメディア内のどの位置の画像を閲覧しているのかを確認することができる。
【０１０７】
また、画像出力装置１０１は、詳細画面上に詳細画像及び画像一覧を共に表示し、画像一覧上の一覧画像が指定されると、当該一覧画像に対応する詳細画像を表示するので、詳細画面上においても、目的の画像に迅速に辿り着くことができる。
【０１０８】
尚、利用者は、一覧画像側からだけではなく詳細画像側から、項目２００６（「先頭へ」「前へ」「次へ」「最後へ」等のボタン）をタッチパネル上で指定することにより、詳細画像閲覧を順送り、逆送りしたり、先頭、最後尾へ移動させたりすることができる。
【０１０９】
また、詳細画面上に表示する詳細画像の数は、画面スペースの範囲内で自由に設定可能である。さらに、複数の詳細画像を表示する場合、それらの詳細画像は、画像一覧において連続するものを表示するようにしてもよい。
【０１１０】
この場合、画像出力装置１０１は、例えば、詳細画面上に３枚の詳細画像を表示する場合、画像一覧における１番目の画像〜３番目の画像についての詳細画像を表示し、画像一覧の１番目〜３番目の一覧画像を強調表示したり、画像一覧における７番目の画像〜９番目の画像についての詳細画像を表示し、画像一覧の７番目〜９番目の一覧画像を強調表示したりというように、画像一覧において隣り合う画像について、詳細画像を表示する。従って、利用者は、同一画面上において、詳細画像及び当該詳細画像の画像一覧における位置を確認できるので、目的の画像に迅速に到達することができる。
【０１１１】
また、上記の技術は、画像出力装置以外にも適用可能であり、例えば、表示画面を有する装置、機器等であれば、上記の技術を適用可能である。さらに、画面表示による案内に代えてあるいは加えて音声による案内も可能である。
【０１１２】
次に、図５及び図６を参照しながら、画像出力装置１０１における、事故防止について説明する。
画像出力装置１０１は、挿入口７０２（メディア挿入口２０２）に装着された各種メディア、各種記録媒体から画像データを読み取る。メディアは、スマートメディア、コンパクトフラッシュ（登録商標）カード（ＣＦカード）、フロッピー（登録商標）ディスク、ＰＣカード、ＣＤ−ＲＯＭ等である。
【０１１３】
しかしながら、これらのメディアは、画像データ等を電子的に記録するものであり、画像出力装置におけるメディアの着脱の際に、静電気等の影響により。メディアに記録されている画像データが消去、破損されたりする場合がある。例えば、スマートメディア等の記録媒体は、静電気による影響を受け易い。
【０１１４】
そこで、静電気によるデータ消去、データ破損等の事故を防止するために、画像出力装置１０１の筐体のメディア挿入部分（挿入口７０２、メディア挿入口２０２）、メディア挿入口近傍の部材、メディア挿入口の開閉扉６０４等をシリコン等の静電気防止効果を有する材料により構成する。
【０１１５】
このように、画像出力装置１０１は、メディア挿入口近辺の部材、開閉扉等を静電気防止効果を有する材料により構成することにより、静電気の発生を抑制し、静電気の影響によるメディア内のデータの消去、破損等の事故を軽減することができる。
【０１１６】
また、上記の技術は、画像出力装置以外にも適用可能であり、例えば、メディアのデータの入出力等を行う装置、機器等であれば、上記の技術を適用可能である。
【０１１７】
以上、図５〜図７について説明したように、画像出力装置は、番号表示、メディア外観画像表示、挿入口毎の扉の開閉等を行うので、利用者に対して、確認作業、メディア挿入口への誘導を迅速かつ正確に行うことができる。
【０１１８】
また、図８〜図１３について説明したように、画像出力装置は、利用者の操作状況から利用者の種別（利き手、癖等）を判定し、あるいは、利用者自身による種別の指定に応じて、当該種別に対応して画面表示を行うことができるので、利用者の操作性を向上させることができる。
【０１１９】
また、図１４〜図１７について説明したように、画像出力装置は、あとどれだけ注文をすれば、どのようなサービスが適用されるか等を画面表示するので、料金決済前の利用者に対して、さらなる注文を促すことができる。
【０１２０】
また、図１８〜図２０について説明したように、画像出力装置は、１の画面上に詳細画像及び一覧画像を連動、関連付けて表示するので、利用者は、目的の画像に迅速に到達することができる。
【０１２１】
また、画像出力装置は、筐体のメディア挿入部分、メディア挿入部分の開閉扉等を静電気防止効果を有する材料により構成することにより、静電気の発生を抑制し、静電気の影響によるメディア内のデータの消去、破損等の事故を軽減することができる。
【０１２２】
以上、添付図面を参照しながら、本発明にかかる画像出力装置等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【０１２３】
尚、画像出力装置は、各手段（図１等）及び各装置（図３等）を一体として構成してもよいし、その一部を分離して、接続線（ケーブル等、有線無線を問わない。）、ネットワーク（専用線、ＬＡＮ、インターネット等、有線無線を問わない。）等により接続するようにしてもよい。
【０１２４】
また、画面上に表示する画像は、静止画、動画を問わない。
また、画像出力装置は、画面表示によるガイダンスの他、音声、動画等によるガイダンスを行うようにしてもよい。
【図面の簡単な説明】
【０１２５】
【図１】画像プリントシステム１００の構成を示すブロック図
【図２】画像出力装置１０１の外観斜視図
【図３】画像出力装置１０１のハードウェア構成図
【図４】画像出力装置１０１の動作を示すフローチャート
【図５】入力メディアの選択における、画像出力装置１０１の動作を示すフローチャート
【図６】入力メディア選択時における画像出力装置１０１を示す図
【図７】入力メディア確認時における画像出力装置１０１を示す図
【図８】利用者の利き手判定における、画像出力装置１０１の動作を示すフローチャート
【図９】利用者の利き手判定において、画像出力装置１０１が表示する画面９００を示す図
【図１０】右利きの利用者に対して表示する画面１０００を示す図
【図１１】左利きの利用者に対して表示する画面１１００を示す図
【図１２】画像出力装置１０１が表示する、利用者の種別を指定可能な画面１２００を示す図
【図１３】画像出力装置１０１が表示する、初心者用の画面１３００を示す図
【図１４】サービス案内における画像出力装置１０１の動作を示すフローチャート
【図１５】サービス情報１５００を示す図
【図１６】サービス案内における画像出力装置１０１が表示する画面１６００を示す図
【図１７】サービス案内表示を示す図
【図１８】一覧画面表示及び詳細画面表示における画像出力装置１０１の動作を示すフローチャート
【図１９】画像出力装置１０１が表示する一覧画面１９００を示す図
【図２０】画像出力装置１０１が表示する詳細画面２０００を示す図
【符号の説明】
【０１２６】
１００………画像プリントシステム
１０１………画像出力装置
１０２………端末装置
１０３………記録媒体
１０４………ネットワーク（接続線）
１１１………画像データ読込書込手段
１１２………画像編集合成手段
１１３………素材データベース
１１４………プリント手段
１１５………注文内容入力手段
１１６………課金手段
１１７………設定手段
６００………入力メディア選択画面
６０１………項目（入力メディア選択）
６０２………画像
６０３………番号
６０４………扉
７００………入力メディア確認画面
７０１………番号灯
７０２………挿入口
９０１、９０２………項目（同一内容）
１００１、１１０１………項目群（高使用頻度、メイン）
１２０１〜１２０５………項目（利用者の種別指定）
１３０１………説明（初心者用）
１５００………サービス情報
１６０１、１７０１………サービス案内
１９００………一覧画面
１９０２、２００２………画像一覧
１９０３、２００３………一覧画像
２０００………詳細画面
２００５………詳細画像
２００４………強調表示
【図１】
2008293513.tif 000003
【図２】
2008293513.tif 000004
【図３】
2008293513.tif 000005
【図４】
2008293513.tif 000006
【図５】
2008293513.tif 000007
【図６】
2008293513.tif 000008
【図７】
2008293513.tif 000009
【図８】
2008293513.tif 000010
【図９】
2008293513.tif 000011
【図１０】
2008293513.tif 000012
【図１１】
2008293513.tif 000013
【図１２】
2008293513.tif 000014
【図１３】
2008293513.tif 000015
【図１４】
2008293513.tif 000016
【図１５】
2008293513.tif 000017
【図１６】
2008293513.tif 000018
【図１７】
2008293513.tif 000019
【図１８】
2008293513.tif 000020
【図１９】
2008293513.tif 000021
【図２０】
2008293513.tif 000022